(57)【要約】【課題】  乾燥機能を有するものの電源ユニットを配置するについて、全体の大形化を招来することのないようにする。【解決手段】  給風装置１５により内槽１１の内部に風を供給して洗濯物を乾燥させるようにしたものにおいて、外槽１０の周側部に排気通路２６を設け、内槽１１の内部に供給した風が排気通路２６を通って排出されるようにすると共に、駆動装置１３に電源を供給する電源ユニット２９を、排気通路２６の下方に位置させて設けた。この結果、電源ユニット２９が排気通路２６と上下に並び合って、奥行方向等には大きくは出っ張らず、かくして、全体の大形化を招来することのないようにできる。【選択図】  図１
2005348863.tif 000002
【特許請求の範囲】
【請求項１】
機内部に、外槽と、この外槽の内部に位置する内槽、内槽を回転駆動する駆動装置を具えると共に、給風装置を具え、この給風装置により前記内槽の内部に風を供給して洗濯物を乾燥させるようにしたものにおいて、
前記外槽の周側部に排気通路を設け、前記内槽の内部に供給した風がその排気通路を通って排出されるようにすると共に、
前記駆動装置に電源を供給する電源ユニットを、前記排気通路の下方に位置させて設けたことを特徴とする乾燥機能付き洗濯機。
【請求項２】
電源ユニットが、各種回路部品を実装した回路基板と、先端部に差込プラグを有する電源コードを具えることを特徴とする請求項１記載の乾燥機能付き洗濯機。
【請求項３】
電源ユニットが、各種回路部品を実装した回路基板を配置する部分を他の部分から隔絶する隔壁を具え、その回路基板側にて回路基板のみをポッティングしたことを特徴とする請求項１記載の乾燥機能付き洗濯機。
【請求項４】
電源ユニットが、上下部に通気口を有し、それらを通じて通気するようにしたことを特徴とする請求項１記載の乾燥機能付き洗濯機。
【請求項５】
電源ユニットが、高さの大きな回路部品を下側に有し、上側の厚さを回路部品の高さ方向に薄くしたことを特徴とする請求項１記載の乾燥機能付き洗濯機。
【請求項６】
電源ユニットが、駆動装置や他のユニットとの接続に供するリード線の導出部分を下向きに保持する保持部を有することを特徴とする請求項１記載の乾燥機能付き洗濯機。
【請求項７】
電源ユニットが、外箱の下部枠を兼ねて設けられていることを特徴とする請求項１記載の乾燥機能付き洗濯機。
【請求項８】
電源ユニットが、電源コードを側面部から導出させ、その導出部分が外箱の側面部より内側に位置することを特徴とする請求項１記載の乾燥機能付き洗濯機。
【発明の詳細な説明】
【技術分野】
【０００１】
本発明は、電源ユニットの配置構造を改良した乾燥機能付き洗濯機に関する。
【背景技術】
【０００２】
従来より、洗濯機においては、機内部に、外槽と、この外槽の内部に位置する内槽、内槽を回転駆動する駆動装置を具えたものが供されており、更に、その駆動装置に電源を供給する電源ユニットを機背面部に設けたものが供されている。
【特許文献１】実公平７−５２７０８号公報
【発明の開示】
【発明が解決しようとする課題】
【０００３】
上記従来のものの場合、洗濯機の全体が奥行方向に大形化し、設置性が悪化していた。特に、近年、前記外槽の内部に位置する内槽の内部に風（温風）を供給して洗濯物を乾燥させるようにしたものが供されており、このものにおいては、機内部に、その風を供給するための給風装置、その他の備品、造作を施すため、それに機背面部に設けた電源ユニットの厚みが加わり、洗濯機全体の一層の大形化を来たすおそれがあった。
【０００４】
本発明は上述の事情に鑑みてなされたものであり、従ってその目的は、乾燥機能を有するものの電源ユニットを配置するについて、全体の大形化を招来することのない乾燥機能付き洗濯機を提供するにある。
【課題を解決するための手段】
【０００５】
上記目的を達成するために、本発明の乾燥機能付き洗濯機においては、機内部に、外槽と、この外槽の内部に位置する内槽、内槽を回転駆動する駆動装置を具えると共に、給風装置を具え、この給風装置により前記内槽の内部に風を供給して洗濯物を乾燥させるようにしたものにおいて、前記外槽の周側部に排気通路を設け、前記内槽の内部に供給した風がその排気通路を通って排出されるようにすると共に、前記駆動装置に電源を供給する電源ユニットを、前記排気通路の下方に位置させて設けたことを特徴とする。
【発明の効果】
【０００６】
上記手段によれば、電源ユニットは、外槽の周側部に設けた排気通路の下方に位置するのであるから、その排気通路と上下に並び合って、奥行方向等には大きくは出っ張らず、かくして、乾燥機能を有するものの電源ユニットを配置するにつき、全体の大形化を招来することのないようにでき、設置性を悪化させることのないようにできる。
【発明を実施するための最良の形態】
【０００７】
以下、本発明の一実施例（一実施形態）につき、図面を参照して説明する。
まず、図１には乾燥機能付き洗濯機の全体を縦断して表しており、複数の脚１を有する基台２と、これに載置結合した外箱３、外箱３の最上部に装着したトップカバー４、トップカバー４が有する洗濯物出入口５を開閉する例えば二つ折り式の蓋６、トップカバー４の後部に被着したバックカバー７とで、外殻８を構成している。なお、基台２は中央部一帯に図示しない開口を有している。
【０００８】
機内部である外箱３の内部には、外槽１０を、図示しない弾性吊持機構により弾性支持して配設しており、この外槽１０の内部に内槽１１を配設している。内槽１１の内部には、最下部に撹拌体１２を配設しており、それら撹拌体１２及び内槽１１を洗濯時と脱水時及び乾燥時に関して選択的に回転駆動するモータを主体とする駆動装置１３を、外槽１０の外下方部に配設している。
【０００９】
一方、トップカバー４内の前部には操作ユニット１４を配置し、バックカバー７内に給風装置１５を配置している。このうち、操作ユニット１４は、詳しくは図示しないが、トップカバー４の前部上面に設けた操作パネル１６が有する各種操作部の操作に応動するもので、乾燥機能付き洗濯機の作動全般を制御する制御装置である例えばマイクロコンピュータを主体に構成している。
【００１０】
給風装置１５は、これも詳しくは図示しないが、ファン１７を主体とするもので、機外部の空気をバックカバー７の背部に形成した吸入口１８（図７、図８参照）から吸入し、それによって生起した風をダクト１９及び蛇腹状の可撓ホース２０を通じて吐出するようになっている。又、この場合、ダクト１９内にはヒータ２１を配設しており、それによって、生起した風を熱し、従って、可撓ホース２０からはその熱した風（温風）が吐出されるようになっている。
【００１１】
ここで、前記外槽１０は有底の円筒状を成しており、内槽１１も同じく有底の円筒状を成し、この内槽１１の上端開口縁部には、内周に回転バランサ２２を設けている。又、外槽１０の上端開口縁部には、外槽カバー２３を装着しており、この外槽カバー２３の後部に形成した図示しない給風口に前記可撓ホース２０の下端部を接続し、これによって、前記給風装置１５で生成した風（温風）が外槽１０内に供給され、更には内槽１１内に供給されるようにしている。なお、外槽カバー２３はリング状を成しており、その中央の開口部を内蓋２４で開閉するようにしている。
【００１２】
外槽１０の下部、この場合、後側（図１では右側）の周側部の下部には、排気口２５を形成しており、この排気口２５に連なる排気通路、特には下部排気通路２６を、外槽１０の上記後側の周側部の下部から上部にかけて該外槽１０と一体の外方へ突出する直状ダクト構成の成形により設けている。
又、前記外槽カバー２３の後部には、上記下部排気通路２６に連なる排気通路、特には上部排気通路２７を、例えば別体の覆い部品の装着によって設けており、この上部排気通路２７の出口部には、リント（糸くず）を捕獲するフィルタ２８を着脱可能に装着している。
【００１３】
そして、下部排気通路２６の下方には電源ユニット２９を配置している。この電源ユニット２９は、前記駆動装置１３や給風装置１５に電源を供給するもので、詳細には、図２に示すように、放熱用のヒートシンク３０を有するＩＧＢＴ等のスイッチング素子（図示せず）や、コネクタ３１、コンデンサ３２，３３、リレー３４、コネクタ３５、その他、一部のみ図示したＩＣ３６や抵抗３７などの各種回路部品を実装した回路基板３８と、リアクタ３９、ノイズフィルタ４０とを有する以外に、ユニットケース４１を有している。
この場合、回路基板３８では、上記コネクタ３１、コンデンサ３２，３３、リレー３４、コネクタ３５など、高さの大きな部品を下側に配置して有している。
【００１４】
ユニットケース４１は、外面に補強用のリブ４１ａを有し、内部を左右２つの隔壁４２、４３により、中央部と左右両側部とに隔絶していて、そのうちの中央部に上記各種回路部品を実装した回路基板３８を収納して配置し、図２で左側部にリアクタ３９を、同右側部にノイズフィルタ４０をそれぞれ収納して配置している。従って、隔壁４２、４３は、回路基板３８を配置した部分を他の部分から隔絶するものであり、その回路基板３８側（回路基板３８を配置したユニットケース４１の中央部）にて、回路基板３８のみ（高さの小さい実装部品を含む）をポッティング樹脂材料により浸漬して包み込むポッティング４４をしている。
【００１５】
このほか、電源ユニット２９は、電源コード４５をノイズフィルタ４０に接続して有しており、この電源コード４５は、全長のほとんどの部分がユニットケース４１の図２で右側の側面部に形成したコード出口４６からユニットケース４１外に導出され、すなわち、電源ユニット２９の図２で右側の側面部から導出され、先端部に図示しない電源コンセントに差し込み接続する差込プラグ４７を有している。
【００１６】
更に、電源ユニット２９は、図３ないし図５に示すユニットケース蓋４８を有している。このユニットケース蓋４８は、回路基板３８における前記コネクタ３１など高さの大きな部品の配置、並びに回路基板３８両側の高さの大きな部品であるリアクタ３９及びノイズフィルタ４０の配置に合わせて段差を有しており、すなわち、下側部と左右の両側部とがそれらの部品の高さ方向に高く、残りの部分（上側であって、且つ中央部分）に同高さ方向に低い凹状を成す凹部４９を有しており、これによって、電源ユニット２９としての厚さが、前者より後者が上記部品の高さ方向に薄くなるようにしている。
【００１７】
又、このユニットケース蓋４８には、下辺部のやゝ中央寄りの左右両側部に通気口５０，５１を形成し、上部の外側寄りの左右両側部に通気口５２，５３を形成している。これらの通気口５０〜５３は、上記ユニットケース蓋４８の高さの大きな部分で連なっており、特にそのうちの図３で左側の通気口５０，５２が連なるＬ字形通路の部分には、ヒートシンク３０の下部とコネクタ３５という発熱の大きな部品が位置している。
【００１８】
そして、通気口５０，５１においては、そこからリード線５４，５５を導出させている。このリード線５４，５５は、前記コネクタ３１，３５にそれぞれ相手コネクタ（図示せず）により接続されて、電源ユニット２９と前記駆動装置１３や給風装置１５及び他のユニットである前記操作ユニット１４との接続に供するもので、通気口５０，５１には、それらのリード線５４，５５の導出部分をそれぞれ下向きに抑え保持する例えば庇状の保持部５６，５７を形成している。
【００１９】
しかして、このユニットケース蓋４８は、前記ユニットケース４１に結合しており、この状態で、電源ユニット２９全体の前後左右を図３に示す向きから反転させて、図６に示すように、前記外箱３に取付けている。
ここで、外箱３は、箱本体３ａが金属板をコ字形に折曲して成り、上下の両面と後面とが開放している。又、その後面の開放部の左右両側縁には、それぞれフランジ５８を形成していて、このフランジ５８の上部間に上部枠５９を渡して取付け、下部間に下部枠を兼ねて電源ユニット２９を渡して取付けている。すなわち、電源ユニット２９は、外箱３の下部枠を兼ねて設けている。
【００２０】
図７は、電源ユニット２９及び上部枠５９を取付けた箱本体３ａに、前記基台２を結合し、駆動装置１３や内槽１１等を装備した外槽１０を収容配置すると共に、トップカバー４やバックカバー７を取付けた状態を示しており、外槽１１の下部から周側部に設けた下部排気通路２６の下方に電源ユニット２９が位置している。又、電源ユニット２９の前記電源コード４５を導出させた側面部は、外箱３の図示で左側の側面部より内側に位置し、従って、電源コード４５の導出部分は、外箱３の図示で左側の側面部より内側に位置している。
【００２１】
なお、この電源ユニット２９の取付位置が、内槽１１及び外槽１０の内部に最高水位まで水を貯留してこれら内槽１１及び外槽１０が降下した状態でも、下部排気通路２６が電源ユニット２９に当たらない位置であることは言うまでもない。
図８は、更に、箱本体３ａのフランジ５８間に、上部枠５７と電源ユニット２９との中間部に位置して背板３ｂを取付け、上方においては、蓋６を取付けた状態を示している。
【００２２】
次に、上記構成のものの作用を述べる。
乾燥時には、電源コード４５の差込みプラグ４７を電源コンセントに差し込み接続した状態で、給風装置１５が作動されると共に、内槽１１が回転される。従って、給風装置１５からは、図１に矢印Ｘで示すように、風（温風）が可撓ホース２０を通じて外槽１０内に供給され、更に、回転バランサ２２の内方を通じて内槽１１内に供給される。このとき、内槽１１内では図示しない洗濯物が内槽１１の回転によって撹拌されており、内槽１１内に供給された温風は、その撹拌中の洗濯物に接触して、撹拌体１２の有する図示しない孔、及び内槽１１が底部に有する同じく図示しない孔を通じ、排気口２５から下部排気通路２６に達する。そして、その下部排気通路２６を通り、更に上部排気通路２７を通って、フィルタ２８から前上方へ排出され、その後、外槽１０と外箱３との間を通って、各部の適当な隙間や、基台２の開口から機外に排出される。これを続けて内槽１１の内部に位置した洗濯物を乾燥させる。
【００２３】
このように本構成のものによれば、外槽１０の内部に位置する内槽１１の内部に風を供給して洗濯物を乾燥させるもので、そのための外槽１０からの排気をする排気通路（下部排気通路２６）を外槽１０の周側部に設けており、そして、駆動装置１３に電源を供給するための電源ユニット２９を、その排気通路の下方に位置させて設けている。
これにより、電源ユニット２９は排気通路と上下に並び合って、奥行方向等には大きくは出っ張らず、かくして、乾燥機能を有するものの電源ユニット２９を配置するにつき、全体の大形化を招来することのないようにでき、設置性を悪化させることのないようにできる。
【００２４】
加えて、本構成のものの場合、電源ユニット２９は、各種回路部品を実装した回路基板３８と、先端部に差込プラグ４７を有する電源コード４５を具えており、これによって、回路基板３８に実装した各種回路部品の通電検査が、電源ユニット２９単体の状態（洗濯機に組み込む前の状態）ででき、その検査が容易にできる。
【００２５】
又、電源ユニット２９は、ユニットケース４１に回路基板３８を配置する部分を他の部分から隔絶する隔壁４２，４３を具え、その回路基板３８側にて回路基板３８のみをポッティングしている。これにより、ポッティング樹脂材料を回路基板３８を配置した部分以外に要さず、その節減ができる。
【００２６】
更に、電源ユニット２９は、ユニットケース蓋４８の上下部に通気口５０〜５３を有し、それらを通じて通気するようにしている。図４は、そのことを矢印Ｙで示しており、電源ユニット２９内部の部品の発熱により温度上昇した空気が上部の通気口５２，５３から流出し、それに応じて、下部の通気口５０，５１からは電源ユニット２９外の空気が流入する。かくして、電源ユニット２９の内部を上下に流通する空気の流れができ、電源ユニット２９内部の部品の冷却が効果的にできる。
【００２７】
特に、この場合、下部の通気口５０，５１から流入した空気は、上部の通気口５２，５３にそれぞれ連なるＬ字形通路の部分を通って、上部の通気口５２，５３から流出するもので、本構成のものの場合、その一方の通路に発熱の大きな部品（ヒートシンク３０、コネクタ３１）を配置しているので、それらの冷却が更に効果的にできる。
【００２８】
そのほか、電源ユニット２９は、高さの大きな回路部品を下側に有し、上側の厚さをユニットケース蓋４８で回路部品の高さ方向に薄くしている。その高さの大きな部品の１つがコネクタ３１，３５であり、それに駆動装置１３や給風装置１５及び操作ユニット１４との接続に供するリード線５４，５５が接続されるから、リード線５４，５５も下側に存することになる。よって、リード線５４，５５に水がかかっても、それを伝って電源ユニット２９内に浸水することの極力ないようにできる。又、この場合、上側の厚さを部品の高さ方向に薄くしていることで、電源ユニット２９を外槽１０に極力近づけて配置でき、全体のコンパクト化に一層の効果を奏する。
【００２９】
又、電源ユニット２９は、上記リード線５４，５５の導出部分を下向きに保持する保持部５６，５７を有している。これにより、リード線５４，５５の導出部分より先方の部分に水がかかっても、該リード線５４，５５の下向きに保持された部分を水が伝って上がるということはないので、リード線５４，５５を伝って電源ユニット２９内に浸水することの一層ないようにできる。
【００３０】
更に、電源ユニット２９は、外箱３の下部枠を兼ねて設けており、これによって、外箱３に専用の下部枠を必要とせず、コストダウンできる。
そして、電源ユニット２９は、電源コード４５を側面部から導出させ、その導出部分が外箱３の側面部より内側に位置している。これにより、電源コード４５が家屋の設置箇所の壁に当たって洗濯機の設置の邪魔になるようなことのないようにできる
【００３１】
なお、本発明は上記し且つ図面に示した実施例にのみ限定されるものではなく、特に、内槽１１の内部に供給する風は、常温の風だけであっても良く、従って、給風装置１５は風を熱するヒータ２１を具えていなくても良いなど、要旨を逸脱しない範囲内で適宜変更して実施し得る。
【図面の簡単な説明】
【００３２】
【図１】本発明の一実施例を示す全体の縦断側面図
【図２】電源ユニットのユニットケース蓋を除いた状態での拡大斜視図
【図３】電源ユニットのユニットケース蓋を取付けた状態での拡大斜視図
【図４】電源ユニットのユニットケース蓋を取付けた状態での拡大正面図
【図５】図４のＡ−Ａ線に沿う電源ユニットの拡大縦断側面図
【図６】電源ユニットを含む外箱の分解斜視図
【図７】全体の外箱背板及び蓋を除く斜視図
【図８】全体の外箱背板及び蓋を取付けた状態での斜視図
【符号の説明】
【００３３】
図面中、３は外箱、１０は外槽、１１は内槽、１３は駆動装置、１５は給風装置、２６は下部排気通路（排気通路）、２９は電源ユニット、３１はコネクタ（回路部品）、３２，３３はコンデンサ（回路部品）、３４はリレー（回路部品）、３５はコネクタ（回路部品）、３６はＩＣ（回路部品）、３７は抵抗（回路部品）、３８は回路基板、４２，４３は隔壁、４４はポッティング、４５は電源コード、４７は差込プラグ、５０〜５３は通気口、５４，５５はリード線、５６，５７は保持部を示す。
【図１】
2005348863.tif 000003
【図２】
2005348863.tif 000004
【図３】
2005348863.tif 000005
【図４】
2005348863.tif 000006
【図５】
2005348863.tif 000007
【図６】
2005348863.tif 000008
【図７】
2005348863.tif 000009
【図８】
2005348863.tif 000010